(57)【要約】【課題】  壁面設置型の火災感知器を簡便に設置できる取付具を得る。【解決手段】  光電分離型火災感知器のような壁面設置型の火災感知器の取付具について、直方体状の筺体であって、該筺体の正面を壁面設置型の火災感知器の取付面、該筺体の上面を天井面などの水平状の設置面に対する取付面、とし、さらに、該筺体の底面に着脱自在の底面板を設けている。そのため、壁面設置型の火災感知器であっても、天井面等に設置することができ、さらに、筺体の底面を着脱自在としているので、施工時に底面側から手を入れることができ、設置作業を容易に行うことができる。【選択図】  図１
2007272591.tif 000002
【特許請求の範囲】
【請求項１】
直方体状の筺体であって、該筺体の正面を壁面設置型の火災感知器の取付面、該筺体の上面を水平状の設置面に対する取付面、とし、さらに、該筺体の底面に着脱自在の底面板を設けていることを特徴とする火災感知器の取付具。
【発明の詳細な説明】
【技術分野】
【０００１】
この発明は、火災感知器の取付具に関し、とくに光電分離型火災感知器のような壁面設置型の火災感知器の取付具に関する。
【背景技術】
【０００２】
従来から火災感知器は主に天井面等の水平面に下向きに設けられることが多い。そのため、所定の距離をおいて、送光部と受光部とを対向させ、その間の煙を検出する光電式分離型火災感知器も、天井面から吊下げられるように、設置されていた。
【０００３】
また、光電式分離型火災感知器の場合、アトリウム等の高天井の空間では、壁面を利用して設置することもあるが、そのときには、壁面である垂直面に対して、下方に水平面を有する箱状の取付具を利用して、吊下げ状に取付けられていた。
【特許文献１】実公昭５９−２９２７４号公報
【発明の開示】
【発明が解決しようとする課題】
【０００４】
上記のような従来の火災感知器に対して、近年、光電式分離型火災感知器が壁面設置型に構成されている。そのため、壁面に設置する場合には問題がないが、そのままでは天井面に垂下させて取付けることができず、とくに既存の光電式分離型火災感知器を交換するときに、天井面から垂下する旧型の場合に、壁面設置型では困ってしまう。
【０００５】
そのため、この発明は、壁面設置型の火災感知器を簡便に天井面等に設置できる取付具を得ることを目的とする。
【課題を解決するための手段】
【０００６】
この発明は、直方体状の筺体であって、該筺体の正面を壁面設置型の火災感知器の取付面、該筺体の上面を水平状の設置面に対する取付面、とし、さらに、該筺体の底面に着脱自在の底面板を設けている取付具である。
【発明の効果】
【０００７】
直方体状の正面に火災感知器を設置し、上面を設置面とできるので、壁面設置型の火災感知器であっても、天井面等に設置することができ、さらに、筺体の底面を着脱自在としているので、施工時に底面側から手を入れることができ、設置作業を容易に行うことができる。
【０００８】
さらに、背面を利用しないので、壁面近傍の天井面であっても、設置作業を壁面を気にせずに行うことが可能である。
【発明を実施するための最良の形態】
【０００９】
実施の形態１
図１は、この発明を利用する第１の実施形態の取付具の斜視図、図２は、図１の取付具を用いた火災感知器の取付け状態を示す側面図である。
【００１０】
図において、１は壁面設置型の火災感知器である光電式分離型火災感知器、２は取付具、３は天井面等の設置面である。
【００１１】
取付具２は、略直方体状の中空の筺体２１を有し、筺体２１の正面を、火災感知器１の取付面２２、筺体２１の上面を、水平状の設置面に対する取付面２３とし、さらに、筺体２１の底面を、着脱自在の底面板２４を設けた作業面２５としている。その他の面である右側面２６、左側面２７および背面２８は筺体２１の一面そのままとされている。
【００１２】
取付面２２は、火災感知器１が取付けられる面であり、筺体２１の正面ほぼ一面が着脱自在な取付板５１に形成されている。この取付板５１には、火災感知器１の端子へ信号線等を接続するための開口５２を有し、その周囲にねじ止め用の取付穴５３が所定数形成されている。同様に取付板５１の四隅には、筺体２１に取付るための固定穴５４が形成され、筺体２１の固定部５５にねじ止め等で固定されるようになっている。
【００１３】
取付面２３は、天井面等の設置面３に筺体２１が設置されるための面であり、設置面３から引き出される信号線等を筺体２１内に引き込むための開口５６を有し、その周囲に設置面３へねじ止め等で固定用の取付穴５７が所定数形成されている。なお、この取付面２３においても、着脱自在な板状の取付板を利用し、図示しないが、取付板を設置面３に固定してその取付板に筺体２１をフック掛けするなどで、固定するようにしてもよい。
【００１４】
作業面２５は、取付具２の施工性のため、底面板２４を取り外せるようにした面である。この底面板２４は、取付板５１と同様に、底面板２４の四隅には、筺体２１に着脱自在とするための固定穴５８が形成され、固定穴５８に対応する筺体２１の固定部５９に、ねじ止め等で固定されるようになっている。そして、底面板２４は、施工時に取り外され、筺体２１内に手を入れることができる。
【００１５】
このような取付具２を用いた光電分離型火災感知器１の施工について、簡単に説明する。
【００１６】
火災感知器１を天井面等の水平の設置面３に取付ける場合、まず、取付具２を設置面３に取付ける。
【００１７】
取付具２の取付けは、まず、筺体２１から底面板２４を外し、その底面を開放させる。底面板２４を外した筺体２１を設置面３の取付位置に合わせ、その内部から、筺体２１上面にある取付穴５７を用いて、ねじ止め等によって、筺体２１の取付面２３を設置面３に固定する。そして、設置面３から図示しない信号線等を引き出し、筺体２１内に引き下ろす。
【００１８】
つぎに、設置面３に固定された取付具２に、壁面設置型の火災感知器１を取付ける。
【００１９】
火災感知器１の取付けは、筺体２１正面の取付板５１にある開口５２に火災感知器１の背面を合わせて、その周囲の取付穴５３を用いてねじ止め等によって火災感知器１を取付板５１に固定する。そして、設置面３から筺体２１内に引き下ろされた図示しない信号線等を火災感知器１背面の端子部に接続する。
【００２０】
このとき、火災感知器１の固定の前に、取付板５１を取り外してもよい。すなわち、ねじ止めされている取付板５１を筺体２１からまず取り外し、火災感知器１の背面に取付板５１を、取付穴５３を用いてねじ止め等によって固定する。そして、火災感知器１背面の端子部に図示しない信号線等を接続し、火災感知器１が固定された取付板５１を再び筺体２１にねじ止めして固定し、火災感知器１を取付けることもできる。このように、一旦取付板５１を筺体２１から外して取付ければ、火災感知器１の端子部への信号線等の結線作業が簡便になる。  
【００２１】
そして、壁面設置型の火災感知器１が取付けられた取付具２の筺体２１底面に、底面板２４をねじ止め等で固定する。この底面板２４が着脱可能であり、作業時に取り外すことにより、筺体２１内の配線作業等が容易に行える。
【００２２】
このようにして、設置面３に取付具２を用いて火災感知器１が設置されることにより、取付具２の筺体２１が略直方体状の形状であって、筺体２１の取付面２３を水平面である設置面３に取付けることにより、筺体２１の取付面２２が略垂直面となり、壁面設置型の火災感知器１を好適に取付けることが可能となる。
【００２３】
また、壁面設置型の火災感知器１は監視区域の天井面等の中央部分よりは端部に設けられることが多く、火災感知器１の設置位置が壁面近傍等で背面側にスペースがなくても、筺体２１の底面側を開放可能としているので、設置作業が行い易い。
【００２４】
この実施形態における取付具２において、筺体２１正面の取付面２２が取付板５１として着脱可能とされており、同時に、他の板と交換が可能である。すなわち、取付具２の利用による設置面３からの火災感知器１の高さは、取付板５１への火災感知器１の取付位置によって決まることになる。火災感知器１の設置面３からの高さは、光電式分離型の場合、煙を検出するための光軸の位置に関係し、例えば、設置面３に近すぎると、煙を検出することができなくなってしまう。そのため、光軸の位置を調整したいなどの要望で、火災感知器１の設置位置をずらしたいときには、開口５２や取付穴５３の位置をずらした取付板５１と同様の板と取り替えることにより、位置調整が可能である。
【００２５】
同様に、取付具２の筺体２１の大きさは、火災感知器１の設置位置として十分な大きさが必要であり、取付板５１の開口５２および取付穴５３の位置は、従来の吊下げ型の光電式分離型感知器を設置面３から吊り下げた場合の光軸位置と合致するように形成することが好ましく、それにより、吊下げ型の火災感知器を交換する際に、取付具２を利用することで、壁面設置型の火災感知器１の光軸の位置が元と同じ位置とすることができる。
【００２６】
この実施形態１によれば、取付具２が直方体状の筺体２１であって、筺体２１の正面を壁面設置型の火災感知器１の取付面２２、筺体２１の上面を水平状の設置面３に対する取付面２３、としているので、筺体２１の正面に火災感知器１を設置し、上面を設置面３とできるので、壁面設置型の火災感知器１であっても、天井面等に設置することができる。
【００２７】
さらに、筺体２１の底面を底面板２４として着脱自在としているので、施工時に底面側から手を入れることができ、設置作業を容易に行うことができる。このとき、背面を利用しないので、設置面３が壁面近傍の天井面であっても、壁面を気にせずに設置作業を行うことが可能である。
【００２８】
実施の形態２
図３は、この発明を利用する第２の実施形態を示す側面図である。
【００２９】
図３において、壁面設置型の火災感知器１および取付具２は、上記実施形態１と同様であり、説明を省略する。
【００３０】
そして、この第２の実施形態では、壁面設置型の火災感知器１を、取付具２を利用して壁面のような略垂直状の設置面３５に設置する場合であって、設置面３５に壁面取付具４を用いている。
【００３１】
壁面取付具４は、取付具２と同様の略直方体状の中空の筺体４１を有し、筺体４１の背面を、設置面３５に対する取付面４２、筺体４１の上面を、設置面３５側からの傾斜面４３、筺体４１の底面を、水平状の設置面４４とし、その他の面である左右側面および正面は筺体４１の一面そのままとされている。
【００３２】
設置面４４は、取付具２が取付けられる面である。この設置面４４には、詳細に示さないが、火災感知器１への信号線等を通すための開口を有し、その周囲に取付穴が所定数形成されている。この設置面４４に取付具２の取付面２３がねじ止め等で固定されるようになっている。
【００３３】
取付面４２は、壁面等の設置面３５に筺体４１が設置されるための面であり、詳細に示さないが、設置面３５から信号線等が引き出されるときに、筺体４１内に引き込むための開口とその周囲に設置面３５へねじ止め等で固定用の取付穴が所定数形成されている。なお、この取付面４２に設置面３５側から配線されない場合、例えば、露出で配線されるときには、左右側面側に開口が形成されて、配線が導入される。
【００３４】
このような取付具２および壁面取付具４を用いた光電分離型火災感知器１の施工は、まず、壁面等の設置面３５に壁面取付具４を設置し、つぎに、壁面取付具４の設置面４４に、取付具２が上記のように取付られる。そして、取付具２の取付面２２に壁面設置型の火災感知器１が取付られる。
【００３５】
このように、第２の実施形態では、設置面３５が壁面のような略垂直面であっても、取付具２を用いて、火災感知器１を設置することが可能であり、とくに壁面のような設置面３５の内部から配線が導入されないときに、有用である。
【図面の簡単な説明】
【００３６】
【図１】第１の実施形態の取付具の斜視図。
【図２】図１の取付具を用いた取付け状態を示す側面図。
【図３】第２の実施形態の取付け状態を示す側面図。
【符号の説明】
【００３７】
２１  筐体
２２  取付面
２３  取付面
２４  底面板
【図１】
2007272591.tif 000003
【図２】
2007272591.tif 000004
【図３】
2007272591.tif 000005